(57)【要約】  本発明は便器、便座、トイレの蓋、および水洗装置を含むトイレおよびその部品に関する。そのようなトイレおよび部品を製造するための方法およびそれに適した材料も記載される。特に、トイレはユーザがしゃがみ込む姿勢を維持するときに使用される。しゃがみ込みトイレ用便器（１００）は、床と接触するための平らな基部（１１５）を備え、基部（１１１）は排水口（１１５）を含み、平らな基部（１１１）は前方向と前方向に対して垂直な横方向とを含む平面を規定し、便器（１００）は基部を含む後方部分（１１０）とユーザがまたがるための伸張した前面延在部分（１２０）とを規定するように形成され、前面延在部分（１２０）は後方部分（１１０）からほぼ前方向に延在し、前面延在部分（１２０）のうちの少なくとも幾分かは便器（１００）と床（３）との間に隙間を提供するために基部（１１１）に対して高くされまたは傾斜される。
2020501047.tif 000002
【特許請求の範囲】
【請求項１】
しゃがみ込みトイレ用の便器であって、
床と接触するための平らな基部を備え、前記基部は排水口を含み、前記平らな基部は前方向と前記前方向に対して垂直な横方向とを含む平面を規定し、
前記便器は前記基部を含む後方部分とユーザがまたがるための伸張した前面延在部分とを規定するように形成され、前記前面延在部分は前記後方部分からほぼ前記前方向に延在し、
前記前面延在部分のうちの少なくとも幾分かは前記便器と前記床との間に隙間を提供するために前記基部に対して高くされまたは傾斜される、便器。
【請求項２】
前記前面延在部分は前記基部から少なくとも２９０ｍｍ前記前方向に延在する、請求項１に記載の便器。
【請求項３】
前記便器の開口部を規定するリムを備え、前記リムは平面視において梨形の輪郭を有し、前記前面延在部分および前記後方部分の両方の周囲を延在する、請求項１または請求項２に記載の便器。
【請求項４】
前記便器の開口部を規定するリムを備え、前記リムは２つの凹状の側部を介して凸状の伸張した前面部に接続された凸状の後方部を含む輪郭を平面視において有する、請求項１または請求項２に記載の便器。
【請求項５】
前記リムは前記前面延在部分全体にわたって前記基部に対して前記前方向に傾斜される、請求項３または請求項４に記載の便器。
【請求項６】
前記リムは、前記基部に対して垂直であり前記前方向に延在する側輪郭平面において、前記基部に対して前記前面延在部分において傾斜される、請求項３〜請求項５のいずれか１項に記載の便器。
【請求項７】
前記リムは前記側輪郭平面において凹状である、請求項６に記載の便器。
【請求項８】
前記リムは前記側輪郭平面において斜行したＵ字型輪郭を有し、前記リムの最前方の範囲は最後方の範囲よりも前記基部に対して浅い傾斜を有する、請求項７に記載の便器。
【請求項９】
前記前面延在部分は前記基部に対して垂直な方向に５００ｍｍ以下の最大高さを有する、上述の請求項に記載の便器。
【請求項１０】
前記前面延在部分は前記基部に対して垂直な方向に少なくとも３００ｍｍの最大高さを有する、上述の請求項に記載の便器。
【請求項１１】
前記後方部分は前記基部に対して垂直な方向に４５０ｍｍ以下の最小高さを有する、上述の請求項に記載の便器。
【請求項１２】
前記後方部分は前記基部に対して垂直な方向に少なくとも３５０ｍｍの最小高さを有する、上述の請求項に記載の便器。
【請求項１３】
前記後方部分は横方向に５００ｍｍ以下の幅を有する、上述の請求項に記載の便器。
【請求項１４】
前記後方部分は横方向に少なくとも４５０ｍｍの幅を有する、上述の請求項に記載の便器。
【請求項１５】
前記後方部分の最小高さは前記前方向において前記排水口と一致する、上述の請求項に記載の便器。
【請求項１６】
前記前面延在部分はユーザがまたがるために横方向に２５０ｍｍ以下の幅を有する、上述の請求項に記載の便器。
【請求項１７】
前記便器は前記後方部分において横方向に少なくとも４００ｍｍの最大幅を有する、上述の請求項に記載の便器。
【請求項１８】
前記基部は前記排水口から前記前方向に２９０ｍｍから３８０ｍｍの範囲内の距離で延在する、上述の請求項に記載の便器。
【請求項１９】
壁は前記基部から前記リムへと延在し、前記基部に対して垂直な方向の前記壁の高さは前記後方部分において最も低い、上述の請求項に記載の便器。
【請求項２０】
前記壁の最も低い高さは前記基部に対して垂直な方向に２４０ｍｍ以下である、請求項１９に記載の便器。
【請求項２１】
前記壁の最も低い高さは前記基部に対して垂直な方向に１８０ｍｍ以上である、請求項１９または請求項２０に記載の便器。
【請求項２２】
前記前面延在部分はその最前方の範囲においてハンドルを提供するように形成される、上述の請求項に記載の便器。
【請求項２３】
トイレであって、
請求項３に従属する、請求項３〜請求項２０のいずれか１項に記載の便器と、
ユーザを前記便器の前記開口部の上方に支持するための支持部とを備え、
前記支持部は前記便器の前記リムとほぼ対応するように形作られた最外縁を有し、
前記支持部は実質的に平らな座部を有し、前記座部は開口部を前記支持部において取り囲む、トイレ。
【請求項２４】
前記支持部において前記開口部を閉じるための蓋をさらに備え、これにより前記蓋および支持部は共同で前記便器の前記開口部を閉じる、請求項２３に記載のトイレ。
【請求項２５】
前記支持部は前記便器に枢動可能に取り付けられ、
前記支持部は開位置と閉位置との間を枢動するように配置され、
前記開位置において前記支持部は前記便器から離れて回転され、
前記閉位置において前記最外縁は前記リムに当接する、請求項２３または請求項２４に記載のトイレ。
【請求項２６】
前記蓋は前記便器に枢動可能に取り付けられ、
前記蓋は開位置と閉位置との間を枢動するように配置され、
前記開位置において前記蓋は前記支持部から離れて回転され、
前記閉位置において前記蓋は前記支持部に当接し、前記支持部において前記開口部を閉じ、
前記蓋および前記支持部の両方がそれぞれのそれらの閉位置に存在するときに、それらは共同で前記便器の前記開口部を閉じる、請求項２４に従属する、請求項２５に記載のトイレ。
【請求項２７】
前記最外縁が前記便器の前記リムに当接するときに、前記支持部は前記支持部の外面および前記便器の外面が当接部をわたって延在する連続面を形成するように配置される、請求項２３〜請求項２６のいずれか１項に記載のトイレ。
【請求項２８】
前記支持部はポリカーボネートを備える、請求項２３〜請求項２７のいずれか１項に記載のトイレ。
【請求項２９】
前記支持部は疎水性のまたは超疎水性の材料を備える、請求項２３〜請求項２７のいずれか１項に記載のトイレ。
【請求項３０】
前記座部はエラストマを備える、請求項２８または請求項２９に記載のトイレ。
【請求項３１】
前記開位置と前記閉位置との間で前記支持部を動かすためのアクチュエータと、
前記アクチュエータを作動するための非接触センサとをさらに備える、請求項２５に従属する、請求項２５〜請求項３０のいずれか１項に記載のトイレ。
【請求項３２】
前記支持部を前記便器に枢動可能に接続するヒンジアセンブリをさらに備え、前記ヒンジアセンブリは水のジェットを前記便器へと導くためのノズルを含む、請求項２３〜請求項３１のいずれか１項に記載のトイレ。
【請求項３３】
水のジェットを前記便器へと導くために前記前面延在部分上に取り付けられたノズルをさらに備える、請求項２３〜請求項３２のいずれか１項に記載のトイレ。
【請求項３４】
前記支持部における前記開口部は横方向に４５０ｍｍから５００ｍｍの範囲内の幅を有する、請求項２３〜請求項３３のいずれか１項に記載のトイレ。
【請求項３５】
給水用の給水口と、
前記リムの少なくとも一部に対してほぼ平行な前記便器内の隆起部とをさらに備え、
前記隆起部は前記便器の周囲に水を運ぶために前記給水口と連通するチャネルを規定し、
前記チャネルの大部分は水が前記便器へと溢れ出ることを可能にするために開かれ、
前記チャネルのうちの２つの長さ部分は水が前記便器へと溢れ出ることを阻止するために閉じられ、
前記閉じられた長さ部分は前記前面延在部分のそれぞれの側に沿って延在し、
前記チャネルは前記前面延在部分の最前方の範囲において開かれる、請求項２３〜請求項３４のいずれか１項に記載のトイレ。
【請求項３６】
ポリカーボネートを備える第１の材料とエラストマを備える第２の材料とを共成形して、前記第１の材料の複合輪郭の支持部と前記第２の材料のほぼ平らな座部とを形成することを備える、便座の製造方法。
【請求項３７】
前記第１の材料は疎水性材料を備える、請求項３６に記載の方法。
【請求項３８】
平面視においてほぼ梨形の輪郭を有する、便器。
【請求項３９】
しゃがみ込みトイレ用の便器であって、前記便器は前記便器の開口部を規定するリムを備え、前記リムは平面視において２つの凹状の側部を介して凸状の遠位端に接続された凸状の後方部を含む輪郭を有する、便器。
【請求項４０】
前記遠位端および２つの凹状の側部は平面視において前記後方部よりも狭い前方部を共同で規定する、請求項３９に記載の便器。
【請求項４１】
しゃがみ込みトイレまたは着座されるトイレのいずれかとして使用するためのトイレであって、
開口部を規定するリムを有する便器と、
ユーザを前記便器の前記開口部の上方に支持するための支持部とを備え、
前記支持部は前記便器の前記リムの３次元形状とほぼ対応するように形作られた最外縁と前記支持部において開口部を取り囲む座部とを有し、
前記支持部は前記座部の少なくとも一部が前記リムから少なくとも１１０ｍｍであるように構成される、便器。
【請求項４２】
しゃがみ込みトイレ用の便器であって、排水口を含む後方部分とユーザがまたがるための前面延在部分とを備え、
前記前面延在部分は前記後方部分から前方向に伸張され、
前記後方部分は横方向に少なくとも４００ｍｍの幅を有し、前記横方向は前記前方向に対して垂直であり、
前記前面延在部分は前記前方向に少なくとも２９０ｍｍの長さを有し、
前記横方向における前記前面延在部分の前記幅は前記前面延在部分の最前方１９０ｍｍにおいて２００ｍｍを超えない、便器。
【請求項４３】
壁と接触するための平らな縁または表面を備え、
前記平らな縁または表面は平面を規定し、
前記前方向は前記平面に対して垂直であり、
前記横方向は前記平面内に存在する、請求項４２に記載の便器。
【請求項４４】
平らな床上での使用時に前記前方向および前記横方向は前記床に対して平行である、請求項４２に記載の便器。
【請求項４５】
前記前面延在部分の遠位端は前記便器において高さ方向に最低の点に対して少なくとも３００ｍｍの高さを有し、前記高さ方向は前記前方向および前記横方向に対して垂直である、請求項４２〜請求項４４のいずれか１項に記載の便器。
【請求項４６】
前記前面延在部分の遠位端においてハンドルが提供される、上述の請求項に記載の便器。
【請求項４７】
４００ｍｍから５００ｍｍの範囲内の幅にわたる凹状の断面を有する、便座。
【請求項４８】
枢動部を備え、前記凹状の断面は前記枢動部の軸に対して平行な平面内に存在する、請求項４７に記載の便座。
【請求項４９】
請求項２３〜請求項３５または請求項４１のいずれか１項に記載のトイレの使用。
【発明の詳細な説明】
【技術分野】
【０００１】
本発明は便器、便座、トイレの蓋、および水洗装置を含むトイレおよびその部品に関する。そのようなトイレおよび部品を製造するための方法およびそれに適した材料も記載される。特に、トイレはユーザがしゃがみ込み姿勢を維持するときに使用される。
【背景技術】
【０００２】
しゃがみ込み姿勢が排便のための自然な姿勢であることがよく知られている。従来型の近代式トイレ、特に西ヨーロッパとアメリカで販売されているものは、しゃがみ込み中に得られるよりもはるかに大きな開股関節角度に着座した姿勢で排便を行うことを要する。自然なしゃがみ込み姿勢は股関節角度を閉じ、これにより恥骨直筋を緩め、これは次いで結腸が真っ直ぐになることを可能にし、その結果、排便はより快適に起こり得る。
【０００３】
例えば和式しゃがみ込みトイレのような従来のしゃがみ込みトイレは通常床の穴にすぎない。時に、構造化された足支持部は追加の把持のために提供され、時折穴の両側のハンドルが支持のために提供される。便器を提供するしゃがみ込みトイレには多くの設計があるが、ユーザの足が便器の両側に配置されなければならないので、これらは使用前に使用者の脱衣を要する。
【０００４】
着座位置で股関節角度を鋭角にできるようにするために、従来の近代的なトイレの使用者の足を上げるための椅子が現在いくつも利用可能である。しかし、ユーザが座らずに彼らの体重を支えることを可能にするためにユーザの足が十分後方に位置されることができないので、この解決策は理想的ではない。
【０００５】
本発明はしゃがみ込み使用のためおよび着座使用のための両方に使用されることができるトイレを提供する。
【発明の概要】
【課題を解決するための手段】
【０００６】
本開示に従って、請求項１または請求項３８、請求項３９または請求項４２に記載の便器、請求項２３または請求項４１に記載の便器、および請求項３６または請求項４７に記載の便座の製造方法が提供される。
【０００７】
本発明をよりよく理解するために、また本発明を実施し得る方法を示すために、単なる例として添付の図面を参照する。
【図面の簡単な説明】
【０００８】
【図１ａ】便器の斜視図を示す。
【図１ｂ】図１ａの便器の側面図を示す。
【図１ｃ】図１ａの便器の平面図を示す。
【図１ｄ】しゃがみ込み使用中のユーザの足の場所を概略的に識別する平面図を示す。
【図２ａ】トイレの斜視図を示す。
【図２ｂ】図２ａのトイレの側面図を示す。
【図２ｃ】図２ａのトイレの平面図を示す。
【図３ａ】蓋が開位置にある図２ａのトイレの斜視図を示す。
【図３ｂ】支持部が開位置にある図２ａのトイレの斜視図を示す。
【図３ｃ】支持部が開位置にある図２ａのトイレの平面図を示す。
【発明を実施するための形態】
【０００９】
図１ａ、図１ｂおよび図１ｃはしゃがみ込みトイレ１用の便器１００を示す。便器１００はリム２００、排水口１１５、外面２０８、および内面２０６を備える。リム２００は水および／または便を保持するための凹状の空間への開口部２０５を規定する。排出のための排水口１１５は（正しく設置されたときに）便器１００の最下部において好ましくは提供される。給水口（図示しない）は排水口１１５に向かって便器１００の内容物を流すための水を供給するために好ましくは提供される。
【００１０】
便器１００は床支持型トイレ１の一部であるように構成され得、その場合、それは床３と接触するための平らな基部１１１を含む。これは便器１００の長さのために好ましく、その理由は基部１１１がユーザの荷重を支持することができるためである。平らな基部１１１は平面状の表面であり得、または単純に、便器１００を支持するために平らな床３に接触することができる平面内に存在する便器１００の縁であり得る。
【００１１】
代替的に、便器１００は壁支持型トイレ１の一部であるように構成され得、その場合、それは壁５との当接のための平らな後縁または表面１１３を含む。便器１００を壁５に取り付けるためにおよび便器１００に作用する任意の荷重を支えるために固定器具（図示しない）が提供され得る。平らな基部１１１はそのため任意である。
【００１２】
好ましくは、基部１１１および平らな後縁の両方または表面１１３が提供される。たとえば、基部１１１は垂直荷重の大部分を支え得、一方でトイレは壁５を介して給水および／または排出管と接続し得る。
【００１３】
いかなる場合でも、便器１００は前方向を規定し、これは、トイレ１が正しく設置されたときに、壁５の平面に対して垂直に延在する。便器１００に正しく座ったときに、ユーザが向いている水平な方向に前方向は対応する。
【００１４】
前方向に対して垂直に、便器１００は横方向を規定する。横方向は前方向に対して垂直であり、平らな床３が便器１００を支持する場合、平らな床３の平面に対して平行である。横方向はリム２００の両側の２つの最下点２１５間の真直な線の方向にも対応し得る（後述する）。
【００１５】
垂直方向は便器１００の前方向および横方向の両方に対して垂直である。平らな基部１１１が提供される場合、垂直方向はこれに対して垂直である。垂直方向は平らな後縁の平面または表面１１３が提供される場合、これに対して平行である。
【００１６】
便器１００は後方部分１１０、伸張した前面延在部分１２０を規定するように形成される。開口部２０５は後方部分１１０および前方延在部分１２０の両方を通って延在する。前面延在部分１２０は平面１０５の前を延在する。基部が提供されるとき、前面延在部分１２０は基部１１１の前面縁から前方向に延在する。後方部分１１０は排出のための排水口１１５、任意付加的な平らな基部１１１、および任意付加的な平らな後縁または表面１１３を含む。
【００１７】
前面延在部分１２０は前方向に２９０ｍｍ〜３８０ｍｍ、好ましくは３３０ｍｍの長さを有する。
【００１８】
後方部分１１０は後方向に２４０ｍｍ〜３００ｍｍ、好ましくは２７０ｍｍの長さを有する。
【００１９】
前面延在部分１２０はユーザがまたがるための大きさおよび形にされる。この関係において、図１ｃに最も良好に示されるように、リム２００は平面視において（すなわち垂直方向に対して垂直な平面において）２つの凹状の側部２１０ｂを介して凸状の遠位端２１０ａに接続された凸状の後方部２１０ｃを好ましくは含む輪郭を有する。好ましくは、遠位端２１０ａおよび２つの凹状の側部２１０ｂは前方延在部分１２０内に存在するリム２００の輪郭の部分を共同で規定し、一方でリム２００の後方部２１０ｃは便器１００の後方部分１１０内に存在する。
【００２０】
２つの凹状の側部２１０ｂは後方部２１０ｃから延在し得、平面視において後方部２１０ｃよりも横方向に狭い前方部２１０ａを共同で規定する。そのような輪郭は平面視においてほぼ梨形として説明される。
【００２１】
好ましくは、横方向の前面延在部分１２０の幅は前面延在部分１２０の最前方１９０ｍｍにおいて２００ｍｍを超えない。これは、便器１００の前面延在部分１２０がユーザの脚部間を延在した状態でユーザが立ち上がりおよびしゃがみ込むことを可能とするために、有利である。このようにして、便器１００はユーザがしゃがみ込んでいる間の同時の排便および排尿のために使用され得る。
【００２２】
最も有利に、前面延在部分１２０は便器１００の最下点１１２に対して高くされる。最下点１１２は基部１１１と対応し得る。これは便器１００と床３との間で前面延在部分１２０下に隙間を提供し得る。
【００２３】
高くされることは前面延在部分１２０を床３および／または便器１００の基部１１１に対して傾けることによって好ましくは達成される。これは便器１００と床３との間で前面延在部分１２０下に隙間を提供し得る。
【００２４】
ユーザが彼らの足６を置くことが意図される横整列位置から前方のすべての点において前面延在部分１２０と床３および／または便器１００の基部１１１との間の隙間は高さにおいて６０ｍｍよりも好ましくは大きい。このようにして、ユーザが便器１００上にしゃがみ込むときに、彼らは彼らの下着／その他の衣服を彼らのくるぶしの周りに保ち得る。
【００２５】
床取付型の実施形態では、隙間は基部１１１に対して傾斜された（すなわち、設置されたときに上向き）便器１００の外側面２０８によって達成され得る。
【００２６】
図１ｄを参照して、ユーザが排水口１１５へと直接排便することを目的とすることが意図される。しゃがみ込んでいる状態で典型的な大きさのユーザに対して、ユーザの足６のボールの横整列位置はそのため排水口１１５の最前方の縁１１５ａの約０ｍｍ〜１００ｍｍ前方である。したがって、前面部分１２０の遠位端１２５から排水口１１５の最前方の縁１１５ａの約１００ｍｍ前方へと延在する前面延在部分１２０の一部の上方で隙間は１００ｍｍよりも大きい。図１ｄに見られるように、基部１１１はそのため排水口１１５の前方にわずかにのみ延在する。
【００２７】
同様に、便器１００のこの部分がユーザの脚部間を延在することを意図されるので、遠位端１２５から排水口１１５の最前方の縁１１５ａの約１００ｍｍ前方への前面部分１２０の横方向の幅は、好ましくは１５０ｍｍ〜２５０ｍｍの範囲内であり、最も好ましくは２００ｍｍである。
【００２８】
後方部分１１０はまたがられることを要さず、このためより幅広であり得る。以下で明らかな理由のために、後方部分１１０は横方向に少なくとも４００ｍｍの幅を有し、好ましくは少なくとも４５０ｍｍ幅である。より好ましい実施形態では幅は５００ｍｍよりも小さい。
【００２９】
図１ａおよび図１ｂから分かるように、前面延在部分１２０は床３に対して上向きに傾斜される（および／または任意付加的な平らな基部１１１に対して上向きに傾斜され、および／または平らな後縁または表面１１３に対して垂直な線に対して上向きに傾斜され、および／または壁５の表面に対して垂直な線に対して上向きに傾斜される）。
【００３０】
基部１１１の上方の前面延在部分１２０の遠位端１２５の高さＺｄｉｓｔａｌは好ましくは３００ｍｍ〜５００ｍｍ、より好ましくは３５０ｍｍ〜４２０ｍｍの範囲内である。これよりも高いと、ユーザがしゃがみ込み使用のための適切な場所へと後ろ側に歩くことが難しくなりすぎる。これよりも低いと、前面延在部分１２０において開口部２０５によって尿が捕捉されないおそれがある。壁付トイレといった基部１１１上に置かれないトイレ１の実施形態では、Ｚｄｉｓｔａｌは設置されたときの床３からの垂直方向における高さである。
【００３１】
有利には、前面部分１２０が傾斜されるので、ハンドル１３０は前面延在部分１２０の遠位端１２５において提供され得る。しゃがみ込み時に、ユーザは、ユーザの重心が支持なしに可能であるよりもさらに後方に位置されることを可能とするためにハンドル１３０を保持し得る。ハンドル１３０は前面延在部分１２０を形作ることによって形成され得、または前面延在部分１２０に加えて提供され得る。
【００３２】
しゃがみ込み時にユーザを乗せるために、便器１００の上面を規定するリム２００もまた前面延在部分１２０において前方向に傾斜される。
【００３３】
好ましくは、リム２００は後方部分１１０内で横に整列される２つの最下点２１５の前方に高さにおいて増加する。好ましくは、リム２００は２つの最下点２１５の後方にも高さにおいて増加する。したがって、垂直方向および前方向によって規定される側輪郭平面視をした場合、リム２００は凹状の輪郭を有する。
【００３４】
リム２００は不連続を避けるために滑らかな曲線を好ましくは形成する。したがって、側輪郭平面視をした場合、リム２００はＵ字型曲線を規定する。最も好ましくは、たとえば最下点２１５の前方のリム２００が最下点２１５の後方のリム２００よりも浅い傾斜を有するようにＵ字型曲線は前方に斜行している。
【００３５】
便器１００の外面２０８は基部１１１からリム２００へと延在する壁を備える。基部１１１に対して垂直方向の壁の高さＺｌｏｗは２つの最下点２１５において最も低い。基部に対して垂直方向の壁の最も低い高さＺｌｏｗは好ましくは１８０ｍｍ〜２４０ｍｍの範囲内である。壁付トイレといった基部１１１上に置かれないトイレ１の実施形態では、Ｚｌｏｗはリム２００の最下点２１５の設置時の床３からの垂直方向の高さである。
【００３６】
後方部分１１０における基部１１１に対して垂直方向の便器１００のリム２００の最も高い高さＺｈｉｇｈは好ましくは３５０ｍｍ〜４５０ｍｍの範囲内であり、最も好ましくは４００ｍｍである。壁付トイレといった基部１１１に置かれないトイレ１の実施形態では、Ｚｈｉｇｈは便器１００の後方部分１１０における設置時の床３からの垂直方向のリム２００の最も高い高さである。
【００３７】
図２ａ、図２ｂ、図２ｃ、および図３ａ、図３ｂ、図３ｃは図１ａ〜図１ｃの便器１００を好ましく含むトイレ１を示す。
【００３８】
トイレ１は支持部３００および蓋４００を備える。支持部３００は本質的に従来型の深さよりも大きい深さを有する便座である。支持部３００および蓋４００の各々は便器１００に枢動可能に取り付けられる。ヒンジ５０５は便器１００に支持部３００および／または蓋４００の一方または両方を接続するために提供され得る。ヒンジ軸は横軸と平行である。好ましくは、支持部３００および蓋４００両方が同じ軸の周りに枢動する。
【００３９】
支持部３００はユーザを便器１００の開口部２０５上方に支持するために配置される。支持部３００は開口部３０５を含み、これを通して支持部３００上に着座するユーザが便器１００へと排便し得る。
【００４０】
支持部３００は開位置（図３ｂにおいて示される）と閉位置（図３ａにおいて示される）との間で枢動するように配置される。開位置において支持部３００は便器１００から離れて回転される。閉位置において支持部３００はリム２００に当接する。
【００４１】
支持部３００は最外縁３２０を有する。最外縁３２０の形状は便器１００のリム２００のものとほぼ対応する。いくつかの実施形態では、最外縁３２０は支持部３００の大部分の周りに延在し得る。好ましくは、最外縁３２０は支持部３００の９０％以上の周りに延在する。図示されるように、最外縁３２０はヒンジ５０５に接触する部分を除く支持部３００のすべての周りに延在する。このようにして最外縁３２０の全長が、閉じられたときに、リム２００に接触するかヒンジに隣接する。
【００４２】
支持部３００は、最外縁３２０が便器１００のリム２００に当接するときに、支持部３００の外面３０８および便器の外面２０８が当接線をわたって延在する連続面を形成するように配置される。
【００４３】
ユーザが最も快適に座る高さはユーザがしゃがみ込む高さよりもかなり高いので、支持部がかなりの高さを有することが必須である。そのため支持部３００は前方向に対して垂直な平面において凹状の断面を有する。好ましくは、支持部３００はそのため前方向においてその長さの大部分にわたって前方向に対して垂直な平面において凹状の断面を有する。最も好ましくは、支持部３００はそのため前方向においてその長さの少なくとも９０％を超えて前方向に対して垂直な平面において凹状の断面を有する。
【００４４】
図３ｃから分かるように、支持部３００が凹状の断面を有するので、しゃがみ込み時にユーザを邪魔するのを避けるためにそれは適度に幅広でなければならない。したがって、便器１００の後方部分１１０の幅は好ましくは横方向に少なくとも４００ｍｍであり、より好ましくは、少なくとも４５０ｍｍである。好ましくは、便器１００の後方部分１１０の幅は横方向に５００ｍｍ以下である。
【００４５】
便器１００のリム２００の形状が支持部３００の形状と対応するので、支持部３００の最大幅は好ましくは横方向に少なくとも４００ｍｍであり、より好ましくは、少なくとも４５０ｍｍである。好ましくは、支持部３００の最大幅は横方向に５００ｍｍ以下である。支持部３００の最大幅はリム２００の最下点２１５と接触する最外縁３２０上の点間の距離と対応する。このことは支持部３００の内面によって妨害することなくまたはそれとの望ましくない接触なしにユーザがしゃがみ込むことを可能とする。
【００４６】
支持部３００は実質的に平らな座部３１０を好ましくは有する。座部３１０は開口部３０５を取り囲み得る。支持部３００の座部３１０はエラストマを備え得るまたはそれから形成される。
【００４７】
支持部３００は１１０ｍｍ〜２００ｍｍの範囲内の、好ましくは１２０ｍｍ〜１７０ｍｍ（これは最下点２１５に対応する）の最大高さを有する。
【００４８】
支持部の高さの結果、それは剛性材料で作られなければならず、その大きさのために厚すぎることができない。したがって、支持部３００がポリカーボネートといった剛性の熱硬化性プラスチックを備えるまたはそれから形成されることが好ましい。
【００４９】
支持部３００は好ましくは、疎水性材料、より好ましくは超疎水性材料を備える。材料は支持部３００の内面上のコーティングであり得、または支持部材料３００の全体に分散され得る。
【００５０】
支持部３００は座部材料を用いて支持部３００の構造部を形成するための第１の材料を共成形することによって好ましくは形成される。好ましくは、支持部３００の構造部を形成するための疎水性材料を任意付加的に含む熱硬化性プラスチック（ポリカーボネート等）を用いて座部３１０を形成するためのエラストマを共成形することによって支持部３００は形成される。
【００５１】
蓋４００は開位置（図３ａにおいて示される）と閉位置（図２ａにおいて示される）との間で枢動するように配置される。開位置において、蓋４００は支持部３００から離れて回転される。それはたとえば、壁５に支えられ得る。
【００５２】
閉位置において、蓋４００は支持部３００に当接し、支持部３００の開口部３０５を閉じる。
【００５３】
蓋４００および支持部３００がそれらのそれぞれの閉位置にあるときに、それらは共同で便器１００の開口部２０５を閉じる。これはあらゆる気体／エアロゾルをトイレ１内に実質的に封じ込めることができ、これによってより衛生的なトイレ１を提供する。
【００５４】
同じ理由のために、支持部３００の開口部３０５は好ましくは４００ｍｍ（好ましくは４５０ｍｍ）〜５００ｍｍの範囲内の横方向の幅を有する。
【００５５】
好ましくは、支持部３００および／または蓋４００の一方または両方はそれぞれの開位置と閉位置との間でアクチュエータ（図示しない）によって移動される。好ましくは、１つまたは複数の非接触センサ５２０によってアクチュエータは作動される。
【００５６】
好ましい実施形態では、ヒンジ５０５は水のジェットを便器１００へと前方に導くためのノズル５１０を含むヒンジアセンブリ５００の一部であり得る。ノズル５１０はビデとして使用するための給水部に接続され得る。
【００５７】
同様に、さらに他のノズル（図示しない）は水のジェットを便器へと後方に導くために前面延在部分１２０上に（好ましくは遠位端１２５に）取り付けられ得る。他のノズルはビデとして使用するための給水部に接続され得る。そのような前面ノズルは女性のユーザのためのより衛生的なビデを提供し得る。
【００５８】
典型的な水洗手法は、便器の頂部の周りに延在するチャネルへの給水を提供することである。この水は、その周の大部分の周りに便器への水の流れを提供する隆起部の長さに沿って溢れ出る。閉じられていないトイレ１の前面延在部分１２０の遠位端１２５の高さのために、そのようなトイレ１は流すのが困難である。
【００５９】
そのため好ましい実施形態は給水用の給水口（図示しない）とリム２００の少なくとも一部に対してほぼ平行な便器１００内の隆起部２３０とを含む。
【００６０】
隆起部２３０は便器１００の周囲に流水を運ぶために給水口と連通するチャネルを規定する。従来型の水洗のように流水が便器１００へと流れることを可能にするためにチャネルの大部分は開かれ、好ましい実施形態ではチャネルのうちの２つの長さ部分が閉じられる。チャネルの基部に複数の離された穴を提供することによって、またはその長さ部分に沿って延在する１つまたは複数のスロットによって、チャネルは開かれ得る。チャネルの閉じられた部分はそのような穴またはスロットを含まない。
【００６１】
図１ｃを参照して、チャネルの閉じられた長さ部分は水が便器１００に流れ込むことをそれらのそれぞれの範囲２３５ａ,２３５ｂにわたって阻止し得る。閉じられた長さ部分は前面延在部分１２０のそれぞれの側に沿って延在する。チャネルは前面延在部分１２０の最前方の範囲（遠位端１２５近傍）において開かれる。
【００６２】
閉じられた長さ部分を提供することによって、幾分かの傾斜されたチャネル上の水洗のための水の流れを封じ込めることが可能であり、これによって流水が前面延在部分１２０のより高い部分に到達するための十分な圧力を提供する。
【図１ａ】
2020501047.tif 000003
【図１ｂ】
2020501047.tif 000004
【図１ｃ】
2020501047.tif 000005
【図１ｄ】
2020501047.tif 000006
【図２ａ】
2020501047.tif 000007
【図２ｂ】
2020501047.tif 000008
【図２ｃ】
2020501047.tif 000009
【図３ａ】
2020501047.tif 000010
【図３ｂ】
2020501047.tif 000011
【図３ｃ】
2020501047.tif 000012
【国際調査報告】
2020501047.tif 000013
2020501047.tif 000014
2020501047.tif 000015
2020501047.tif 000016
2020501047.tif 000017